(57)【特許請求の範囲】
【請求項１】
シート状に折り畳まれた状態で搬送される筒状の長尺フィルムの内側に配置されるインナーガイドと、
前記インナーガイドを長尺フィルムの外側から挟んで支持する複数対の回転可能な支持ローラが長尺フィルムの搬送方向に並んで設けられている支持ユニットと、
前記インナーガイドの外側を搬送される長尺フィルムの幅方向両側にある２つの折目部分を緩和する折目緩和機構と、を備えるインナーガイドユニットであって、
前記インナーガイドは、前記支持ユニットによって支持される被支持部と、前記被支持部における長尺フィルムの搬送方向下流側に連設されて長尺フィルムの切断端を離反させて開く離反部とを有し、
前記被支持部には、前記支持ユニットの複数対の支持ローラとの間に長尺フィルムを挟んだ状態で前記支持ローラに対向する複数対の被支持ローラが回転可能に設けられており、
前記折目緩和機構は、前記被支持部において長尺フィルムの折目部分に対向する内側押圧面と、前記内側押圧面との間に長尺フィルムの折目部分を挟んだ状態で押圧する外側押圧面とで構成され、前記内側押圧面および外側押圧面の少なくとも一方の側に他方の押圧面を磁気吸引する磁石が設けられており、
前記外側押圧面を有する押圧部材または外側押圧ローラは、長尺フィルムの幅方向にスライド移動可能に取り付けられ、押圧面の傾斜が許容されるように遊びを持った状態で保持されている、インナーガイドユニット。
【発明の詳細な説明】
【技術分野】
【０００１】
本発明は、シート状に折り畳まれた状態で搬送される筒状の長尺フィルムの内側に配置されるインナーガイドを備えたインナーガイドユニットに関する。
【背景技術】
【０００２】
従来、下記特許文献１には、図１５に示すインナーガイドユニット１００が記載されている。このインナーガイドユニット１００は、筒状フィルムＦが連続的に繋がった、シート状に折り畳まれた帯状の長尺フィルムＬＦ内に収容されるインナーガイド１０１と、このインナーガイド１０１を長尺フィルムＬＦの外側から支持するガイドサポート１０２とから構成されている。
【０００３】
インナーガイド１０１は、図１６（ａ），（ｂ）に示すように、ガイドサポート１０２によって支持される被支持部１０３と、この被支持部１０３における長尺フィルムＬＦの送出方向の下流側に細幅の連結部１０９を介して連設された、長尺フィルムＬＦの切断端を離反させる離反部１１０とを備える。
【０００４】
被支持部１０３は、連結部材１０６を介して相互に連結された一対の扁平なベース部材１０４，１０４を有する。ベース部材１０４には、周面の一部がベース部材１０４，１０４の両外側縁からそれぞれ外側に張り出すようにして回転可能に支持された一対の上流側ガイドローラ１０５Ｕ，１０５Ｕ及び一対の下流側ガイドローラ１０５Ｄ，１０５Ｄと、周面の一部がベース部材１０４，１０４の両側縁からそれぞれ外側に張り出すようにして回転可能に支持された一対のガイド側押圧ローラ１０７，１０７が設けられている。また、ベース部材１０４，１０４の上端部には、長尺フィルムＬＦをインナーガイド１０１に導入するための導入プレート１０８，１０８がそれぞれ取り付けられている。
【０００５】
離反部１１０は、先端側が相互に離反した状態で、長尺フィルムＬＦの切断位置の近傍まで至る一対のばね板１１１，１１１を備えている。この一対のばね板１１１，１１１によって、フィルム切断ユニット（図示せず）によって切断された長尺フィルムＬＦの切断端を離反させて開くことで、擬似接着状態を解除することができる。これにより、長尺フィルムＬＦの切断端が開いた状態で、図示しないマンドレルの外周に被嵌されるようになっている。
【０００６】
ガイドサポート１０２は、図１５に示すように、一対の回転可能な支持ローラ１２１Ａ，１２１Ｂを備える。一対の支持ローラ１２１Ａ，１２１Ｂは、外周面に溝部を有しており、その溝部内にインナーガイド１０１のベース部材１０４，１０４が嵌まり込むことで、長尺フィルムＬＦの面方向（すなわち図１５の紙面に垂直な方向）におけるインナーガイド１０１の位置が規制される。また、一対の支持ローラ１２１Ａ，１２１Ｂの溝部の底面が、長尺フィルムＬＦの両側縁に位置する折目部分を挟んだ状態で、インナーガイド１０１の一対の上流側ガイドローラ１０５Ｕ，１０５Ｕ及び一対の下流側ガイドローラ１０５Ｄ，１０５Ｄとそれぞれ当接した状態になっている。これにより、インナーガイド１０１は、一対の支持ローラ１２１Ａ，１２１Ｂによって、長尺フィルムＬＦの送出方向である例えば鉛直方向に支持されている。
【０００７】
また、ガイドサポート１０２には、一対の支持ローラ１２１Ａ，１２１Ｂの下方に一対の回転可能なサポート側押圧ローラ１２２Ａ，１２２Ｂが設けられている。一方のサポート側押圧ローラ１２２Ａは、ばね板１２３の付勢力によってインナーガイド１０１側に付勢されている。長尺フィルムＬＦは、その２つの折目部分がインナーガイド１０１の一対のガイド側押圧ローラ１０７，１０７とガイドサポート１０２のサポート側押圧ローラ１２２Ａ，１２２Ｂとの間にそれぞれ挟まれた状態で、下方に送出される。これにより、インナーガイドユニット１００では、長尺フィルムＬＦを送出しながら２つの折目を緩和する又は取ることができるようになっている。
【先行技術文献】
【特許文献】
【０００８】
【特許文献１】特開２０１１−１９５１７６号公報
【発明の概要】
【発明が解決しようとする課題】
【０００９】
上述したインナーガイドユニット１００では、各押圧ローラ間に長尺フィルムの折目部分を挟んだ状態で長尺フィルムＬＦを搬送することによって、長尺フィルムＬＦの折り癖を伸ばすように構成されている。このように折り癖を伸ばすことで、その後に長尺フィルムＬＦから所定長に切断された筒状フィルムが折り癖によるスプリングバックの影響を受けずに略円筒状に開口した状態で、例えばボトル容器のキャップ周囲に確実に被嵌し易くなる。しかしながら、上述した構成のインナーガイドユニット１００では、長尺フィルムＬＦの折り癖を取る効果は限定的であることが確認された。
【００１０】
本発明の目的は、長尺フィルムの折目をより確実に緩和する又は取ることができる、インナーガイドユニットを提供することである。
【課題を解決するための手段】
【００１１】
本発明に係るインナーガイドユニットは、シート状に折り畳まれた状態で搬送される筒状の長尺フィルムの内側に配置されるインナーガイドと、前記インナーガイドを長尺フィルムの外側から挟んで支持する複数対の回転可能な支持ローラが長尺フィルムの搬送方向に並んで設けられている支持ユニットと、前記インナーガイドの外側を搬送される長尺フィルムの幅方向両側にある２つの折目部分を緩和する折目緩和機構と、を備えるインナーガイドユニットであって、前記インナーガイドは、前記支持ユニットによって支持される被支持部と、前記被支持部における長尺フィルムの搬送方向下流側に連設されて長尺フィルムの切断端を離反させて開く離反部とを有し、前記被支持部には、前記支持ユニットの複数対の支持ローラとの間に長尺フィルムを挟んだ状態で前記支持ローラに対向する複数対の被支持ローラが回転可能に設けられており、前記折目緩和機構は、前記被支持部において長尺フィルムの折目部分に対向する内側押圧面と、前記内側押圧面との間に長尺フィルムの折目部分を挟んだ状態で押圧する外側押圧面とで構成され、前記内側押圧面および外側押圧面の少なくとも一方の側に他方の押圧面を磁気吸引する磁石が設けられており、前記外側押圧面を有する押圧部材または外側押圧ローラは、長尺フィルムの幅方向にスライド移動可能に取り付けられ、押圧面の傾斜が許容されるように遊びを持った状態で保持されているものである。
【００１２】
この構成によれば、長尺フィルムの２つの折目部分を互いに磁気吸引される内側押圧面と外側押圧面との間に挟んだ状態で押圧する折目緩和機構を設けたことで、例えばばね部材等で押圧するよりも強く且つ一定の押圧力で折目部分を挟みながら搬送することができ、その結果、長尺フィルムの折り癖を効果的に緩和するか又は取ることができる。したがって、その後に長尺フィルムから切断形成された筒状フィルムを円筒状に開口させ易くなり、例えばボトル容器等のキャップ部周囲により確実に被嵌させることができる。
そして、外側押圧面を有する押圧部材または外側押圧ローラは長尺フィルムの幅方向に沿ってスライド移動可能に取り付けられているため、外側押圧ローラの高さ位置が変わることなく安定して維持することができる。また、長尺フィルムを異なる幅のものに変更する場合に上記押圧部材または外側押圧ローラをインナーガイドに干渉しない位置にスライド移動させて退避させておくことで、長尺フィルムの変更作業にも容易に対応することができる。
加えて、折目緩和機構を構成する外側押圧面の傾斜が許容されるように押圧部材または外側押圧ローラが保持されているので、インナーガイドと支持ユニットとの間の組付け誤差等によってインナーガイド側の内側押圧面の位置ずれや傾きが生じた場合でも、それに追従するように外側押圧面も傾斜してインナーガイド側の内側押圧面に密接することができる。したがって、このような場合でも折目緩和作用を確実に果たすことができる。
【００１３】
本発明に係るインナーガイドユニットにおいて、前記折目緩和機構の内側押圧面は、前記被支持部の側壁面か又は前記被支持部に回転可能に設けられた内側押圧ローラの外周面によって構成され、前記折目緩和機構の外側押圧面は、磁性材で形成されている押圧部材の側壁面か又は磁性材で形成されている回転可能な外側押圧ローラの外周面によって構成されてもよい。
【００１４】
また、本発明に係るインナーガイドユニットにおいて、前記内側押圧面と前記外側押圧面が相互に嵌まり込む凹面と凸面を有する形状で構成されてもよい。この構成によれば、長尺フィルムの２つの折目部分を両押圧面である凹面と凸面で挟んだ状態で押圧する作用が生じるため、折目緩和効果がより一層向上する。
【００１５】
この場合、本発明に係るインナーガイドユニットにおいて、前記内側押圧面が凹状に形成され、前記外側押圧面が前記内側押圧面に嵌まり込む凸状に形成されてもよい。
【００１６】
この構成によれば、凹状をなす内側押圧面とこれに嵌まり込む凸状の外側押圧面との間に長尺フィルムの折目部分を挟んだ状態で押圧することができるので、折り癖と逆方向に折目部分を押し曲げることができる。したがって、折目緩和効果をより確実なものにできる。
【発明の効果】
【００２１】
本発明に係るインナーガイドユニットによれば、長尺フィルムの折目をより確実に緩和する又は取ることができる。
【図面の簡単な説明】
【００２２】
【図１】本発明の一実施形態であるインナーガイドユニットを備えるフィルム被嵌装置の正面図である。
【図２】図１に示すフィルム被嵌装置の側面図である。
【図３】インナーガイドユニットの斜視図である。
【図４】インナーガイドを支持する支持ユニットの斜視図である。
【図５】インナーガイドの（ａ）上面図、（ｂ）正面図、および、（ｃ）該正面図におけるＣ−Ｃ線に沿った側断面図である。
【図６】支持ユニットによって支持されたインナーガイドを示す正面図である。
【図７】図６中のＩ−Ｉ線断面図である。
【図８】インナーガイドおよび折目緩和機構を示す斜視図である。
【図９】折目緩和機構を示す拡大斜視図である。
【図１０】（ａ）は本実施形態における折目緩和機構を示す概略図であり、（ｂ），（ｃ）は折目緩和機構の変形例をそれぞれ示す概略図である。
【図１１】折目緩和機構を構成する外側押圧ローラの変形例を示す図である。
【図１２】別の実施形態であるインナーガイドユニットを示す（ａ）正面図および（ｂ）右側面図である。
【図１３】図１２における支持ユニットを示す（ａ）正面図、および、（ｂ）側面図である。
【図１４】さらに別の実施形態であるインナーガイドユニットを示す（ａ）正面図および（ｂ）右側面図である。
【図１５】従来のインナーガイドユニットの一例を示す側面図である。
【図１６】図１５に示すインナーガイドの（ａ）正面図、および、（ｂ）側面図である。
【発明を実施するための形態】
【００２３】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００２４】
図１は、本発明の一実施形態であるインナーガイドユニットを備えるフィルム被嵌装置１の正面図であり、図２はフィルム被嵌装置１の側面図である。図１および図２において、上側から下側へと長尺フィルムＬＦが搬送されるため、図１および図２中の上側がフィルム搬送方向の上流側に相当し、下側がフィルム搬送方向の下流側に相当する。また、以下において、シート状に折り畳まれた筒状の長尺フィルムＬＦの内部を「内側」といい、その外部を「外側」という。
【００２５】
フィルム被嵌装置１は、筒状フィルムＦが連続的に繋がった、シート状に折り畳まれた状態の長尺フィルムＬＦから個別の筒状フィルムＦを切り離しながら、この筒状フィルムＦをフィルム被嵌位置αに順次送出することで、ベルトコンベアによって所定の搬送ピッチでフィルム被嵌位置αに順次搬送されてくるボトル容器（以下、容器という。）Ｂのキャップ部に被嵌するように構成される。
【００２６】
フィルム被嵌装置１は、長尺フィルムＬＦ（および筒状フィルムＦ）の搬送方向に関して上流側から、インナーガイドユニット１０と、フィルム送出ユニット６０と、フィルム切断ユニット７０と、マンドレル７６およびフィルム移送ユニット８０と、フィルム放出ユニット９０とを備える。各ユニット１０，６０，７０，８０，９０およびマンドレル７６は、図２に示されるフィルム被嵌装置１のフレーム２に取り付けられている。
【００２７】
インナーガイドユニット１０は、インナーガイド１２と、このインナーガイド１２を支持する支持ユニット１４と、折目緩和機構１５とを備える。インナーガイド１２は、筒状をなす長尺フィルムＬＦの内側に配置される。支持ユニット１４は、長尺フィルムＬＦの外側からインナーガイド１２を支持する。折目緩和機構１５は、シート状に折り畳まれた長尺フィルムＬＦの２つの折目を緩和する又は取る機能を有する。インナーガイド１２、支持ユニット１４および折目緩和機構１５の詳細については後述する。
【００２８】
フィルム送出ユニット６０は、図示しない基材ロールからインナーガイドユニット１０を介して供給される長尺フィルムＬＦを挟み込む駆動ローラ６２および従動ローラ６４を有する。駆動ローラ６２は、長尺フィルムＬＦを所定長ずつ下方へ送り出すように間欠的に駆動される。
【００２９】
フィルム切断ユニット７０は、相互に接近離反することによって開閉する剪断刃７２，７４を有する。フィルム切断ユニット７０は、フィルム送出ユニット６０によって所定長だけ送り出された長尺フィルムＬＦを剪断刃７２，７４によって切断し、個別の筒状フィルムＦを形成する。
【００３０】
マンドレル７６は、フィルム切断ユニット７０によって長尺フィルムＬＦから切り離された筒状フィルムＦを被嵌することによって所定状態に開口する機能を有する。マンドレル７６は、後述するようにインナーガイド１２の離反部によって開口した状態で下方へ送り出される長尺フィルムＬＦの切断端部が被嵌されやすいように、上端部が尖頭状の砲弾型をなしている。
【００３１】
フィルム移送ユニット８０は、一対のフィードベルトユニット８２ａ，８２ｂを備える。各フィードベルトユニット８２ａ，８２ｂにそれぞれ含まれる無端状のベルト８４がマンドレル７６の径方向に対向する位置でマンドレル７６の軸方向に沿って回転駆動されるように構成される。これにより、ベルト８４とマンドレル７６の外周面に挟まれた個別の筒状フィルムＦが所定の間隔をあけた状態でマンドレル７６の外周面に沿ってその下端側に移送される。
【００３２】
フィルム放出ユニット９０は、マンドレル７６の下端部外周面に接触しながら回転駆動される一対の放出ローラ９２ａ，９２ｂを備える。フィルム移送ユニット８０によってマンドレル７６に沿って移送されてきた筒状フィルムＦが一対の放出ローラ９２ａ，９２ｂによってマンドレル７６の下端部から下方へ筒状に開いた状態で放出される。これにより、フィルム被嵌位置に搬送されてきた容器Ｂのキャップ部の周囲に筒状フィルムＦが被嵌される。
【００３３】
次に、図３〜図６を参照して、インナーガイドユニット１０について説明する。図３は、インナーガイドユニット１０の斜視図である。図４は、インナーガイド１２を支持する支持ユニット１４の斜視図である。図５は、インナーガイド１２の（ａ）上面図、（ｂ）正面図、および、（ｃ）該正面図におけるＣ−Ｃ線に沿った側断面図である。さらに、図６は、支持ユニット１４によって支持されたインナーガイド１２を示す正面図である。
【００３４】
図３に示すように、インナーガイドユニット１０は、インナーガイド１２、支持ユニット１４および折目緩和機構１５を備える。ここでは、まず支持ユニット１４について説明し、その次にインナーガイド１２、および、折目緩和機構１５について説明する。
【００３５】
図４に示すように、支持ユニット１４は、固定ブラケット１６ａおよび可動ブラケット１６ｂを含む。固定ブラケット１６ａは、上面視で略Ｌ字状をなす金属製の部材であり、ボルト等によってフィルム被嵌装置１のフレーム２（図２参照）に固定される。
【００３６】
可動ブラケット１６ｂは、例えば金属製の平板状の部材である。可動ブラケット１６ｂは、固定ブラケット１６ａに立設された２本の軸部材１８ａ，１８ｂによって、固定ブラケット１６ａに対して矢印Ｄ方向に接近離反移動可能に設けられている。軸部材１８ａの周囲にはコイルばね２０が設けられており、このコイルばね２０の付勢力によって可動ブラケット１６ｂを固定ブラケット１６ａ側に付勢している。この付勢力によって、後述する支持ユニット１４の各ローラがインナーガイド１２の各ローラに対して押圧されるようになっている。
【００３７】
固定ブラケット１６ａおよび可動ブラケット１６ｂの各先端部には、一対の支持ローラ２２ａ，２２ｂと、一対の上流側外部ローラ２４と、一対の下流側外部ローラ２６とがそれぞれ回転可能に支持されている。一対の支持ローラ２２ａ，２２ｂは、後述するようにインナーガイド１２の被支持部に設けられる一対の被支持ローラとの間に長尺フィルムＬＦを構成する一対のフィルム部分を１つずつ挟んだ状態で、インナーガイド１２を重力方向に支持するものである。また、各上流側外部ローラ２４および下流側外部ローラ２６は、後述するインナーガイド１２の被支持部に設けられる内部ローラとの間に長尺フィルムＬＦを構成する一対のフィルム部分を１つずつ挟んだ状態で、インナーガイド１２がシート状の長尺フィルムＬＦの表面と直交する方向（矢印Ｄ方向）及び平行な方向（矢印Ｈ方向）に振れないように支持するものである。
【００３８】
一対の支持ローラ２２ａ，２２ｂは、長尺フィルムＬＦの搬送方向を示す矢印Ｅ方向に関して同じ高さ位置に並ぶように配置されている。これに対し、一対の上流側外部ローラ２４を構成する各ローラ２４ａ，２４ｂは矢印Ｅ方向に関してずれた高さ位置に配置されている。具体的には、ローラ２４ａがローラ２４ｂよりも少し上側に配置されている。また、一対の下流側外部ローラ２６を構成する各ローラ２６ａ，２６ｂについても同様に矢印Ｅ方向に関してずれた高さ位置に配置されており、ローラ２６ａがローラ２６ｂよりも少し上側に配置されている。このように上流側外部ローラ２４および下流側外部ローラ２６の各ローラ位置を上下方向にずらして配置するのは、後述するインナーガイド１２の被支持部に設けられる内部ローラの配設位置に対応させたものである。
【００３９】
図５に示すように、インナーガイド１２は、被支持部２８と、被支持部２８に対して長尺フィルムＬＦの搬送方向下流側に連結部３０を介して連設される離反部３２と、被支持部２８の上端部に取り付けられるガイド部材３４とを備える。
【００４０】
インナーガイド１２の被支持部２８は、上述した支持ユニット１４によって長尺フィルムＬＦの外側からインナーガイド１２が支持される部分である。被支持部２８は、板状のベース部材３６と、長尺フィルムＬＦの幅Ｗに沿った方向（以下、幅方向という）に関してベース部材３６の略中央領域に取り付けられたローラ取付部３８とを有する。ローラ取付部３８の上端部は、ベース部材３６の上端縁から突出して上方へ延出している。ベース部材３６は、例えば金属板によって好適に構成される。ベース部材３６は、長尺フィルムＬＦの幅Ｗより少し狭い幅に形成されている。また、ベース部材３６は、搬送される長尺フィルムＬＦの内面に接触しにくい外形状および大きさに形成される。具体的には、ベース部材３６は、ローラ取付部３８よりも薄く、且つ、長尺フィルムＬＦよりも狭い幅を有する略長方形状の金属板で形成される。なお、ベース部材３６の幅方向両側の側壁面３６ａ，３６ｂは、後述する折目緩和機構１５の内側押圧面を構成する。
【００４１】
ここで、図５（ａ）に示すように、長尺フィルムＬＦは、両側縁である折目部分Ｏ１，Ｏ２と、これらの折目部分Ｏ１，Ｏ２間に延在する一対のフィルム部分Ｆ１，Ｆ２を含んで構成される。
【００４２】
図５（ｃ）および図６に示すように、ローラ取付部３８には、支持ユニット１４の一対の支持ローラ２２ａ，２２ｂが嵌まり込む窪み部３９が形成されている。被支持部２８においてローラ取付部３８の窪み部３９の上側部分には、一対の被支持ローラ４０ａ，４０ｂが回転可能に支持されて、ローラ外周部の一部が窪み部３９の表面から僅かに突出して露出している。これにより、一対の被支持ローラ４０ａ，４０ｂは、長尺フィルムＬＦのフィルム部分Ｆ１，Ｆ２をそれぞれ挟んだ状態で一対の支持ローラ２２ａ，２２ｂの各ローラ２２ａ，２２ｂの上に乗る。その結果、インナーガイド１２は、その被支持部２８を介して一対の支持ローラ２２ａ，２２ｂによって重力方向に関して支持される。
【００４３】
また、被支持部のローラ取付部３８において被支持ローラ４０ａ，４０ｂのフィルム搬送方向上流側には、一対の上流側内部ローラ（一対の被支持ローラ）４２ａ，４２ｂが回転可能に支持されている。各ローラ４２ａ，４２ｂのローラ外周面の一部はローラ取付部３８の表面に露出している。ここで、一方の上流側内部ローラ４２ａは他方の上流側内部ローラ４２ｂに対して上方にずれて配置されている。
【００４４】
また、ローラ取付部３８において被支持ローラ４０ａ，４０ｂのフィルム搬送方向下流側には、一対の下流側内部ローラ（一対の被支持ローラ）４４ａ，４４ｂが回転可能に支持されている。各ローラ４４ａ，４４ｂのローラ外周面の一部はローラ取付部３８の表面に露出している。ここで、一方の下流側内部ローラ４４ａは、他方の下流側内部ローラ４４ｂに対して上方にずれて配置されている。
【００４５】
このように各一対の上流側内部ローラ４２ａ，４２ｂおよび下流側内部ローラ４４ａ，４４ｂを長尺フィルムＬＦの搬送方向（矢印Ｅ方向）にずれた位置に配置したことにより、同じ高さ位置に並べて配置する場合に比べてインナーガイド１２のローラ取付部３８の厚みを薄くすることが可能である。
【００４６】
インナーガイド１２が長尺フィルムＬＦの内側に配置された状態で支持ユニット１４に組み付けられたとき、図６に示すように、長尺フィルムＬＦのフィルム部分Ｆ１，Ｆ２を挟んで一対の上流側内部ローラ４２ａ，４２ｂと支持ユニット１４の一対の上流側外部ローラ２４ａ，２４ｂとが当接する。また、長尺フィルムＬＦのフィルム部分Ｆ１，Ｆ２を挟んで一対の下流側内部ローラ４４ａ，４４ｂと支持ユニット１４の一対の下流側外部ローラ２６ａ，２６ｂとが当接する。このようにしてインナーガイド１２の被支持部２８は、長尺フィルムＬＦの面方向と直交する方向（矢印Ｄ方向）に振れないように支持される。
【００４７】
図７は、図６中のＩ−Ｉ線拡大断面図である。インナーガイド１２に設けられた下流側内部ローラ４４ａ，４４ｂは、軸方向両端部が径方向外側へ隆起した略鼓状をなしている。一方、支持ユニット１４に設けられた下流側外部ローラ２６ａ，２６ｂは、軸方向両端の角部がテーパ状に形成されて、インナーガイド１２の下流側内部ローラ４４ａ，４４ｂにそれぞれ嵌まり込んでいる。また、図示しないが、インナーガイド１２の上流側内部ローラ４２ａ，４２ｂと、支持ユニット１４の上流側外部ローラ２４ａ，２４ｂも同様の関係となるよう形成されている。したがって、支持ユニット１４の上流側外部ローラ２４ａ，２４ｂおよび下流側外部ローラ２６ａ，２６ｂが、インナーガイド１２の上流側内部ローラ４２ａ，４２ｂおよび下流側内部ローラ４４ａ，４４ｂに嵌まり込んでいるために、インナーガイド１２は支持ユニット１４によって矢印Ｄ方向に振れないように支持されるのに加えて、長尺フィルムＬＦ内で矢印Ｈ方向に移動しないように支持されている。
【００４８】
なお、本実施形態では、インナーガイド１２の被支持部２８において、一対の被支持ローラ４０ａ，４０ｂの上流側と下流側の両方に各一対の内部ローラ４２ａ，４２ｂ，４４ａ，４４ｂを設けたが、これに限定されるものではなく、どちらか一方の内部ローラ対だけを設けてもよい。その場合でも、インナーガイド１２の矢印Ｄ方向への振れを抑制する効果がある。
【００４９】
図５を再び参照すると、インナーガイド１２の連結部３０は、被支持部２８と離反部３２との間に設けられている。連結部３０は、例えば金属板によって好適に形成され、長尺フィルムＬＦよりも少し狭い幅を有している。これにより、連結部３０の両側縁部は、長尺フィルムＬＦの折目部分Ｏ１，Ｏ２の内側に近接して位置している。このため、インナーガイド１２に沿って搬送される長尺フィルムＬＦの折目部分Ｏ１，Ｏ２の搬送位置を規制することが可能になり、図１６を参照して背景技術として説明した幅狭の連結部１０９を有するインナーガイド１０１に比べて、長尺フィルムＬＦをばたつきなく安定して搬送することが可能になる。
【００５０】
また、連結部３０には、矩形状の開口部３１が形成されて、フレーム状をなしている。この開口部３１は、フィルム送出ユニット６０の駆動ローラ６２および従動ローラ６４が配置されて長尺フィルムＬＦを挟んで送り出すために設けられる。このように連結部３０がフレーム状の板材で形成されることで、図１６を参照して上述した幅狭の連結部１０９を有するインナーガイド１０１に比べて、連結部３０の剛性が高くなる。その結果、インナーガイド１２が連結部３０で曲がって変形しにくくなり、長尺フィルムＬＦをマンドレル７６へと確実にガイドすることができる。なお、上記ではインナーガイド１２の連結部３０には１つの開口部３１が形成されてフレーム状をなす構成を説明したが、これに限定されるものではなく、送出ローラ６２，６４を配置するための開口部以外に１つ又は複数の開口部を形成してフレーム状をなすものであってもよい。
【００５１】
インナーガイド１２の離反部３２は、連結部３０の下部に取り付けられている。離反部３２は、２枚のばね板３２ａ，３２ｂによって構成される。２枚のばね板３２ａ，３２ｂは、下方へ向かって略Ｖ字状に広がる形状に形成されている。搬送される長尺フィルムＬＦがフィルム切断ユニット７０によって切断された後、長尺フィルムＬＦの切断端部を開いてマンドレル７６に確実に被嵌させるようにする機能は、従来のインナーガイド１０１と同様である。
【００５２】
また、インナーガイド１２において、被支持部２８の上端部、すなわち長尺フィルムＬＦの搬送方向上流側の端部には、ガイド部材３４が取り付けられている。本実施形態では、ガイド部材３４は例えば１枚の金属板によって好適に構成される。ガイド部材３４の幅は、シート状に折り畳まれた状態での筒状の長尺フィルムＬＦの幅Ｗとほぼ同等に形成されている。これにより、ガイド部材３４は筒状の長尺フィルムＬＦが搬送されるとき、その幅方向両側の折目部分Ｏ１，Ｏ２の内面に当接して、インナーガイド１２に対する長尺フィルムＬＦの搬送位置を規制することができる。
【００５３】
上述したように本実施形態のインナーガイドユニット１０では、長尺フィルムＬＦがインナーガイド１２の被支持部２８の周囲を搬送されるとき、長尺フィルムＬＦの内面には、長尺フィルムＬＦを構成する対向した一対のフィルム部分Ｆ１，Ｆ２の幅方向中央領域において、被支持部２８に回転可能に設けられた一対の被支持ローラ４０ａ，４０ｂ、一対の上流側内部ローラ４２ａ，４２ｂおよび一対の下流側内部ローラ４４ａ，４４ｂが主に接触した状態で搬送可能になる。したがって、内面に滑り層が形成されていない長尺フィルムＬＦや自然収縮が生じている長尺フィルムＬＦであっても、インナーガイド１２の被支持部２８の周囲を小さい接触抵抗で搬送することができ、搬送詰まりや傷の発生を抑制できる。
【００５４】
また、インナーガイド１２は、長尺フィルムＬＦを構成する一対のフィルム部分Ｆ１，Ｆ２の幅方向の略中央領域に対応する位置で、一対の被支持ローラ４０ａ，４０ｂ、一対の上流側内部ローラ４２ａ，４２ｂおよび一対の下流側内部ローラ４４ａ，４４ｂと、支持ユニット１４の一対の支持ローラ２２ａ，２２ｂ、一対の上流側外部ローラ２４および一対の下流側外部ローラ２６とによって支持される。換言すれば、インナーガイド１２は、長尺フィルムＬＦの幅方向両側では支持ユニット１４によって支持されていない。そのため、異なる幅の長尺フィルムＬＦに型替えする場合に、ガイド部材３４だけを交換するだけでインナーガイド１２の他の部分をそのまま使用できる。しかも、支持ユニット１４における一対の支持ローラ２２ａ，２２ｂ間の距離調整は不要である。したがって、本実施形態によれば異なる幅Ｗの長尺フィルムへの変更に伴う作業を容易にすることができる。
【００５５】
続いて、図８および図９を参照して、本実施形態のインナーガイドユニット１０における折目緩和機構１５について説明する。図８は、インナーガイド１２および折目緩和機構１５を示す斜視図である。また、図９は、折目緩和機構を示す拡大斜視図である。
【００５６】
図８に示すように、本実施形態のインナーガイドユニット１０は、シート状に折り畳まれた状態でインナーガイド１２の周囲を搬送される長尺フィルムＬＦの２つの折目部分Ｏ１，Ｏ２を緩和する又は取る折目緩和機構１５を備える。折目緩和機構１５は、長尺フィルムＬＦの折目部分Ｏ１，Ｏ２を挟んだ状態で押圧する内側押圧面および外側押圧面と、内側押圧面および外側押圧面の少なくとも一方の側に他方の押圧面を磁気吸引するように設けられた磁石とによって構成される。
【００５７】
具体的には、折目緩和機構１５の内側押圧面は、インナーガイド１２の被支持部２８の一部を構成するベース部材３６の幅方向両側の側壁面３６ａ，３６ｂによって構成される。本実施形態では、金属板からなるベース部材３６の側壁面３６ａ，３６ｂは、平坦な壁面に形成されている。そして、ベース部材３６の内部には、側壁面３６ａ，３６ｂの近傍に例えば直方体状をなす磁石５０がそれぞれ埋め込まれている。
【００５８】
また、本実施形態の折目緩和機構１５における外側押圧面は、磁石５０の磁力によってインナーガイド１２の側壁面３６ａ，３６ｂに磁気吸引される外側押圧ローラ５１ａ，５１ｂの各外周面によって構成される。外側押圧ローラ５１ａ，５１ｂは、例えば鉄などの磁性材で形成されている。これにより、長尺フィルムＬＦの折目部分Ｏ１，Ｏ２が、インナーガイド１２の側壁面３６ａ，３６ｂと外側押圧ローラ５１ａ，５１ｂの外周面との間に挟まれた状態で搬送される。その結果、折目部分Ｏ１，Ｏ２が押圧面間に挟まれた状態で押圧されることによって折り癖を効果的に除去することができる。したがって、その後に長尺フィルムＬＦから切断形成された筒状フィルムＦ（図１参照）を円筒状に開口させ易くなり、容器Ｂのキャップ部周囲により確実に被嵌させることができる。
【００５９】
外側押圧ローラ５１ａ，５１ｂは、スライド部材５２ａ，５２ｂにそれぞれ回転可能に設けられている。スライド部材５２ａ，５２ｂは、上面視で略Ｌ字状をなす部材であって、２つの貫通孔５３，５３がそれぞれ形成されている。図８に示すように、各スライド部材５２ａ，５２ｂの貫通孔５３，５３には、２本のガイドシャフト５４ａ，５４ｂがそれぞれ挿通されている。各２本のガイドシャフト５４ａ，５４ｂは、フィルム被嵌装置１のフレーム２（図２参照）に固定された支持部材５５によって、各ガイドシャフト５４ａ，５４が長尺フィルムＬＦの幅方向（矢印Ｈ方向）に沿って延伸した状態で取り付けられている。そして、各ガイドシャフト５４ａ，５４ｂの間には、インナーガイド１２を配置可能な程度の空間が形成されている。なお、支持部材５５は、支持ユニット１４の固定ブラケット１６ａと一体になってフレーム２に固定されてもよい。
【００６０】
このようにして折目緩和機構１５の外側押圧面を構成する外側押圧ローラ５１ａ，５１ｂは、長尺フィルムＬＦの幅方向にスライド移動可能に構成されている。このように外側押圧ローラ５１ａ，５１ｂが取り付けられていることで、外側押圧ローラ５１ａ，５１ｂの高さ位置、すなわち内側押圧面に対する磁気吸引位置が変わることなく、外側押圧ローラ５１ａ，５１ｂを安定して維持することができる。また、長尺フィルムＬＦを異なる幅のものに変更する場合に外側押圧ローラ５１ａ，５１ｂをインナーガイド１２に干渉しない位置にスライド移動させて退避させておくことで、長尺フィルムＬＦの変更作業にも容易に対応することができる。
【００６１】
図１０（ａ）は本実施形態における折目緩和機構１５を示す概略図であり、図１０（ｂ），（ｃ）は折目緩和機構の変形例をそれぞれ示す概略図である。上記では、図１０（ａ）に示すように、インナーガイド１２の被支持部２８を構成するベース部材３６の側壁面３６ａ，３６ｂを内側押圧面とし、この内側押圧面に磁気吸引される回転可能な外側押圧ローラ５１ａ，５１ｂの外周面を外側押圧面とした例について説明したが、これに限定されるものでない。
【００６２】
例えば、図１０（ｂ）に示すように、被支持部２８に回転可能に設けられた内側押圧ローラ３６Ｂの外周面で内側押圧面を構成する一方、外側押圧面を、ガイドシャフト５４ａ，５４ｂにスライド移動可能に取り付けられた回転不能な押圧部材５６の側壁面によって構成してもよい。この場合、内側押圧ローラ３６Ｂは例えば鉄などの磁性材で形成されている。また、磁石５０は押圧部材５６の側壁面近傍に埋設されてもよい。
【００６３】
また、図１０（ｃ）に示すように、内側押圧面を回転可能な内側押圧ローラ３６Ｂの外周面で構成すると共に、外側押圧面も本実施形態と同様の回転可能な外側押圧ローラ５１ａの外周面で構成してもよい。この場合、内側押圧ローラ３６Ｂおよび外側押圧ローラ５１ａに埋設される磁石５０ａ，５０ｂは、円環状に形成されるのが好適である。
【００６４】
なお、図１０（ａ）〜（ｃ）に示す構成において、磁石５０，５０ａ，５０ｂは、内側押圧面および外側押圧面を構成する各部材の少なくとも一方の側に設けられていればよく、図１０（ｃ）に示すように例えば円環状に形成された磁石５０ａ，５０ｂがいずれか一方だけ設けられていてもよい。
【００６５】
図１１は、折目緩和機構１５を構成する外側押圧ローラ５１ａの変形例を示す図である。図１１では一方の外側押圧ローラ５１ａだけを示すが、他方の外側押圧ローラ５１ｂについても同様である。
【００６６】
上記においては、折目緩和機構１５の内側押圧面を構成するインナーガイド１２のベース部材３６の側壁面３６ａが平面状で、外側押圧面を構成する外側押圧ローラ５１ａの外周面もそれに対応して軸方向に平坦な面である場合について説明したが、これに限定されるものではない。図１１に示すように、内側押圧面を形成するベース部材３６の側壁面３６ａが凹状又は凹面に形成され、これに対応して外側押圧面を構成する外側押圧ローラ５１ａの外周面を幅方向中央が径方向外側へ凸状または凸面に形成されて上記側壁面３６ａに嵌まり込むように構成してもよい。このようにすれば、インナーガイド１２の凹状の側壁面３６ａ，３６ｂとこれに嵌まり込む外側押圧ローラ５１ａ，５１ｂの凸状の外周面との間に長尺フィルムＬＦの折目部分Ｏ１，Ｏ２を挟んだ状態で押圧することができるので、折り癖と逆方向に折目部分Ｏ１，Ｏ２を押し曲げることができる。したがって、折目緩和効果をより確実なものにできる。
【００６７】
また、図１１に示すように、外側押圧ローラ５１ａは、ガイドシャフト５４ａの延伸方向に対して若干の傾斜が許容されるように遊びを持って保持されているのが好ましい。具体的には、上記のような遊びは、外側押圧ローラ５１ａを回転可能に支持するスライド部材５２ａの貫通孔５３（図９参照）の内径を、ガイドシャフト５４ａの外径よりも少し大径に形成することによって実現できる。このようにすれば、インナーガイド１２と支持ユニット１４との間の組付け誤差等によってインナーガイド１２側の内側押圧面である側壁面３６ａに矢印Ｋ方向への位置ずれや傾きが生じた場合でも、それに追従するように外側押圧面を構成する外側押圧ローラ５１ａも二点鎖線で示すように傾斜してインナーガイド１２側の側壁面３６ａに密接することができる。したがって、このような場合でも折目緩和作用を確実に果たすことができる。このような作用効果は、内側押圧面と外側押圧面とが図１１に示すような凹凸嵌合状態に構成される場合に、特に効果的である。
【００６８】
次に、図１２を参照して、別の実施形態であるインナーガイドユニット１０Ａについて説明する。図１２は、インナーガイドユニット１０Ａを示す（ａ）正面図および（ｂ）右側面図である。図１３は、図１２における支持ユニット１４Ａを示す（ａ）正面図および（ｂ）右側面図である。
【００６９】
図１２に示すように、インナーガイドユニット１０Ａは、インナーガイド１２Ａと、インナーガイド１２Ａを支持する支持ユニット１４Ａと、折目緩和機構１５Ａとを備える。
【００７０】
インナーガイド１２Ａは、支持ユニット１４Ａによって支持される被支持部２８Ａと、この被支持部２８Ａにおける長尺フィルムの送出方向の下流側に細幅の連結部３０Ａを介して連設された、長尺フィルムの切断端を離反させる離反部３２Ａとを備える。離反部３２Ａの機能は、上述した実施形態と同様であり、ここでの説明を省略する。
【００７１】
インナーガイド１２Ａの被支持部２８Ａは、上述した支持ユニット１４Ａによって長尺フィルムＬＦの外側からインナーガイド１２Ａが支持される部分である。被支持部２８Ａは、平板状のベース部材３６ｃと、ベース部材３６ｃの幅方向両側から上方に突出した２つの上端部分３７とを有する。そして、各上端部分３７，３７の先端には、長尺フィルムをインナーガイド１２Ａに導入するための導入プレート３４ａ，３４ｂが取り付けられている。
【００７２】
被支持部２８Ａは、例えば金属板によって好適に構成される。被支持部２８Ａの上端部分３７には、一対の上流側内部ローラ（被支持ローラ）４２ａ，４２ｂが回転可能に取り付けられている。また、被支持部２８のベース部材３６ｃの下端部には、一対の下流側内部ローラ（被支持ローラ）４４ａ，４４ｂが回転可能に取り付けられている。すなわち、複数対の内部ローラが長尺フィルムの搬送方向に並んで配置されている。各ローラ４２ａ，４２ｂ，４４ａ，４４ｂの外周面の一部は、ベース部材３６ｃおよび上端部分３７の幅方向外側の側壁から露出している。また、被支持部２８Ａのベース部材３６ｃは、長尺フィルムの幅方向と直交する一対の側壁面を有し、これらの側壁面が一対の内側押圧面を構成する。そして、一対の内側押圧面の近傍に磁石５０がそれぞれ埋設されている。
【００７３】
インナーガイドユニット１０Ａにおける支持ユニット１４Ａは、一対の上流側支持ローラ２３ａ，２３ｂと、一対の下流側支持ローラ２５ａ，２５ｂとを備える。本実施形態では、各上流側支持ローラ２３ａ，２３ｂが互いに同じ高さ位置において回転可能に支持されている。また、各下流側支持ローラ２５ａ，２５ｂも、互いに同じ高さ位置において回転可能に支持されている。
【００７４】
各対の支持ローラ２３ａ，２３ｂ，２５ａ，２５ｂは、外周面に溝部を有しており、その溝部内にインナーガイド１２Ａの被支持部２８Ａが嵌まり込むことで、インナーガイド１２Ａが重力方向に支持されるとともに、長尺フィルムの面方向（すなわち図１２（ｂ）の紙面に垂直な方向）におけるインナーガイド１２Ａの位置が規制される。
【００７５】
本実施形態の折目緩和機構１５Ａは、インナーガイド１２Ａの被支持部２８Ａにおけるベース部材３６ｃの幅方向両側の側壁面である内側押圧面と、外側押圧ローラ５１ａ，５１ｂの各外周面である外側押圧面で構成される。各外側押圧ローラ５１ａ，５１ｂは、取付部材５７に回転可能に取り付けられている。取付部材５７の外側壁面には２本のガイド軸８３の各一端部が連結されており、これらのガイド軸８３がガイド部材８５の２つの貫通孔に挿通されている。２本のガイド軸８３の各他端部には、ガイド部材８５からのガイド軸８３の抜けを防止する抜け止め部材８６が固定されている。これにより、外側押圧ローラ５１ａ，５１ｂは、それぞれ、取付部材５７、ガイド軸８３およびガイド部材８５を介してインナーガイド１２Ａに接近・離間する方向（すなわち長尺フィルムの幅方向）に移動可能に支持されている。また、上記外側押圧ローラ５１ａ，５１ｂに対応する一対のガイド部材８５は、図１２（ａ）に示すように、ガイドシャフト５４ａ，５４ｂ（図８参照）にスライド移動可能に支持される一対のスライド部材５２ａ，５２ｂに取り付けられている。この構成によって、一対の外側押圧ローラ５１ａ，５１ｂは、長尺フィルムＬＦの幅方向にスライド移動可能に支持されている。
【００７６】
支持ユニット１４Ａは、図１３に示すように、フレーム２に取り付けられたベースプレート９３と、ベースプレート９３によって回転可能に支持され且つ長尺フィルムの幅方向に延在するネジ軸９４と、ネジ軸の先端に連結されるハンドル９５と、ネジ軸９４の外周に形成された雄ネジ部に螺合する雌ネジ部をそれぞれ有する２つのスライドブロック９６ａ，９６ｂとを更に備える。そして、一方の上流側支持ローラ２３ａおよび一方の下流側支持ローラ２５ａがスライドブロック９６ａに回転可能に支持され、他方の上流側支持ローラ２３ｂおよび他方の下流側支持ローラ２５ｂがもう１つのスライドブロック９６ｂに回転可能に支持されている。ネジ軸９４は、その両端部がベースフレーム９３に固定された軸受９７ａ，９７ｂによって回転可能に支持され、その略中央部分がフレーム９３に固定された軸受９７ｃによって回転可能に支持されている。また、ネジ軸９４の外周に形成された雄ネジは、スライドブロック９６ａが螺合する部分９４ａと、スライドブロック９６ｂが螺合する部分９４ｂとで逆ネジに形成されている。これにより、ハンドル９５を回してネジ軸９４を回転させると、スライドブロック９６ａ，９６ｂが互いに接近または離間する方向に移動する。その結果、各対の上流側支持ローラ２３ａ，２３ｂおよび下流側支持ローラ２５ａ，２５ｂの間に、長尺フィルムを介してインナーガイド１２Ａを挟んだ状態で支持することができる。
【００７７】
上記の構成からなるインナーガイドユニット１０Ａにおいても、上述したインナーガイドユニット１０と同様の効果を奏する。すなわち、本実施形態の折目緩和機構１５Ａでは、長尺フィルムＬＦの折目部分Ｏ１，Ｏ２が、互いに磁気吸引される、ベース部材３６ｃの幅方向両側の側壁面である内側押圧面と一対の外側押圧ローラ５１ａ，５１ｂの外周面との間に挟まれた状態で、長尺フィルムが搬送される。これにより、長尺フィルムの折り癖を効果的に除去することができる。したがって、その後に長尺フィルムＬＦから切断形成された筒状フィルムＦを円筒状に開口させ易くなり、容器Ｂのキャップ部周囲により確実に被嵌させることができる。
【００７８】
次に、図１４を参照して、さらに別の実施形態であるインナーガイドユニット１０Ｂについて説明する。このインナーガイドユニット１０Ｂは、図１２および図１３を参照して説明したインナーガイドユニット１０Ａに類似する構成を有する。異なるところは、折目緩和機構１５Ｂにおいて、内側押圧面がインナーガイド１２Ｂのベース部材に回転可能に設けられた一対の内側押圧ローラ３６Ｂ，３６Ｂの外周面によって構成され、外側押圧面が一対の押圧部材５６の側壁面で構成される点である。この構成は、図１０（ｂ）を参照して上述したのと同様であり、また、一対の押圧部材５６を支持する構成は図１２に示すものと同様であり、ここでの説明を省略する。このインナーガイドユニット１０Ｂによっても、上述したインナーガイドユニット１０Ａと同様の効果を奏することができる。
【００７９】
なお、本発明は、上述した実施形態および変形例に限定されるものではなく、本願の特許請求の範囲に記載された事項およびその均等な範囲において、種々の改良や変更が可能である。
【００８０】
例えば、上記においてはインナーガイドユニット１０が容器Ｂのキャップ部周囲に筒状フィルムＦを被嵌するフィルム被嵌装置１に適用される例を説明したが、本発明のインナーガイドは容器Ｂの胴部周囲に筒状ラベルを被嵌するラベル被嵌装置に適用されてもよい。
【符号の説明】
【００８１】
１  フィルム被嵌装置、２  フレーム、１０，１０Ａ  インナーガイドユニット、１２，１２Ａ  インナーガイド、１４，１４Ａ  支持ユニット、１５，１５Ａ  折目緩和機構、１６ａ  固定ブラケット、１６ｂ  可動ブラケット、１８ａ，１８ｂ  軸部材、２２ａ，２２ｂ  支持ローラ、２３ａ，２３ｂ  一対の上流側支持ローラ、２４  一対の上流側外部ローラ、２４ａ，２４ｂ  上流側外部ローラ、２５ａ，２５ｂ  一対の下流側支持ローラ、２６  一対の下流側外部ローラ、２６ａ，２６ｂ  下流側外部ローラ、２８，２８Ａ  被支持部、３０，３０Ａ  連結部、３１  開口部、３２，３２Ａ  離反部、３２ａ，３２ｂ  ばね板、３４  ガイド部材、３４ａ，３４ｂ  導入プレート、３６，３６ｃ  ベース部材、３６ａ，３６ｂ  側壁面または内側押圧面、３６Ｂ  内側押圧ローラ、３８  ローラ取付部、３９  窪み部、４０ａ，４０ｂ  被支持ローラ、４２ａ，４２ｂ  上流側内部ローラ、４４ａ，４４ｂ  下流側内部ローラ、５０  磁石、５１ａ，５１ｂ  外側押圧ローラまたは外側押圧面、５２ａ，５２ｂ  スライド部材、５３  貫通孔、５４ａ，５４ｂ  ガイドシャフト、５５  支持部材、５６  押圧部材、５７  取付部材、６０  フィルム送出ユニット、６２  駆動ローラ、６４  従動ローラ、７０  フィルム切断ユニット、７２，７４  剪断刃、７６  マンドレル、８０  フィルム移送ユニット、８２ａ，８２ｂ  フィードベルトユニット、８３  ガイド軸、８５  ガイド部材、８６  抜け止め部材、９０  フィルム放出ユニット、９２ａ、９２ｂ  放出ローラ、９３  ベースプレート、９４  ネジ軸、９５  ハンドル、９６ａ，９６ｂ  スライドブロック、９７ａ，９７ｂ，９７ｃ  軸受、Ｂ  ボトル容器、Ｆ  筒状フィルム、Ｆ１，Ｆ２  フィルム部分、ＬＦ  長尺フィルム、Ｏ１，Ｏ２  折目部分、α  フィルム被嵌位置。
【図１】
0006787683.tif 000002
【図２】
0006787683.tif 000003
【図３】
0006787683.tif 000004
【図４】
0006787683.tif 000005
【図５】
0006787683.tif 000006
【図６】
0006787683.tif 000007
【図７】
0006787683.tif 000008
【図８】
0006787683.tif 000009
【図９】
0006787683.tif 000010
【図１０】
0006787683.tif 000011
【図１１】
0006787683.tif 000012
【図１２】
0006787683.tif 000013
【図１３】
0006787683.tif 000014
【図１４】
0006787683.tif 000015
【図１５】
0006787683.tif 000016
【図１６】
0006787683.tif 000017